(57)【特許請求の範囲】
【請求項１】
底部及び前記底部と接続された複数の側壁を含む収納容器と、
前記底部によって支持され、前記複数の側壁のうち第１側壁と隣接し、第１光源を含む第１光源モジュールと、
前記第１側壁の外側面と接触し、第一端部が前記第１光源モジュールの前記第１光源と接触してカバーするように前記第１側壁を覆う第１光源カバーと、を含み、
前記底部は、平面上で延長して前記複数の側壁と接続されて、
前記第１光源カバーの一部領域は、上記底部と平行するように延長して、表示パネルの下に位置し、前記表示パネルの一部領域とオーバーラップしていることを特徴とするバックライトアセンブリ。
【請求項２】
前記第１光源カバーは、
前記第１側壁の外側面と接触する側壁カバー部と、
前記側壁カバー部の一側から湾曲され、前記底部と部分的に接触する下端部と、
前記側壁カバー部の前記一側の反対側から前記下端部の湾曲方向と同一な方向に湾曲されて前記下端部と対向し、前記第１光源モジュール上に配置され、前記表示パネルの一部領域の下に位置し、前記表示パネルとオーバーラップしている光源カバー部と、を含むことを特徴とする請求項１に記載のバックライトアセンブリ。
【請求項３】
前記第１光源モジュールと向かい合う入射面及び前記入射面に入射された光を出射する出射面を含む導光板をさらに含み、
前記光源カバー部は前記側壁カバー部の前記反対側から前記導光板に向かって延長して前記第１光源モジュールの前記第１光源及び前記出射面の一部と接触してカバーすることを特徴とする請求項２に記載のバックライトアセンブリ。
【請求項４】
前記第１光源モジュールと前記収納容器との間に配置される放熱板と、
前記導光板と前記放熱板との間に配置される反射板と、をさらに含むことを特徴とする請求項３に記載のバックライトアセンブリ。
【請求項５】
前記第１光源モジュールと所定間隔離隔され、前記複数の側壁のうち第２側壁と隣接して配置された第２光源モジュールをさらに含み、
前記第１光源モジュールは、
前記第１側壁に沿って、一列に配列された複数の前記第１光源、前記第１光源が実装される第１駆動基板、前記第１駆動基板の第一端部に設けられ、前記第１光源を駆動する駆動電圧を伝送する第１接続配線と接続された第１コネクタを含み、
前記第２光源モジュールは、
前記第１光源の配列方向に沿って一列に配列された複数の第２光源、前記第２光源が実装される第２駆動基板、前記第２駆動基板の第一端部に設けられ、前記第２光源を駆動する駆動電圧を伝送する第２接続配線と接続された第２コネクタを含むことを特徴とする請求項１に記載のバックライトアセンブリ。
【請求項６】
前記複数の側壁のうち前記第１側壁の反対方向に配置された第２側壁と隣接し、第２光源を含む第２光源モジュールと、
前記第２側壁の外側面と接触し、第一端部が前記第２光源モジュールの前記第２光源と接触してカバーするように前記第２側壁を覆う第２光源カバーと、をさらに含むことを特徴とする請求項１に記載のバックライトアセンブリ。
【請求項７】
映像を表示する表示パネルと、
底部及び前記底部と接続された複数の側壁を含む収納容器と、前記底部によって支持され、前記複数の側壁のうち第１側壁と隣接し、前記表示パネルに光を照射し、第１光源を含む第１光源モジュール、及び前記第１側壁の外側面と接触し、第一端部が前記第１光源モジュールの前記第１光源と接触してカバーするように前記第１側壁を覆う第１光源カバーと、を含むバックライトアセンブリを含み、
前記底部は、平面上で延長して前記複数の側壁と接続され、
前記第１光源カバーの一部領域は、上記底部と平行するように延長して、表示パネルの下に位置し、前記表示パネルの一部領域とオーバーラップしていることを特徴とする表示装置。
【発明の詳細な説明】
【技術分野】
【０００１】
本発明は、バックライトアセンブリ、バックライトアセンブリを含む表示装置及びその組立方法に関する。より詳細には光漏れを防止するバックライトアセンブリ、それを含む表示装置及びその組立方法に関する。
【背景技術】
【０００２】
一般的に、液晶表示装置（ＬＣＤ）は液晶の光透過率を利用して映像を表示する液晶表示パネル及び液晶表示パネルの下部に配置されて液晶表示パネルに光を照射するバックライトアセンブリを含む。
【０００３】
バックライトアセンブリは液晶表示パネルに映像を表示するのに必要な光を発生させる光源を含む。バックライトアセンブリの光源では冷陰極蛍光ランプ（Ｃｏｌｄ  Ｃａｔｈｏｄｅ  Ｆｌｕｏｒｅｓｃｅｎｔ  Ｌａｍｐ、ＣＣＦＬ）、フラット蛍光ランプ（Ｆｌａｔ  Ｆｌｕｏｒｅｓｃｅｎｔ  Ｌａｍｐ、ＦＦＬ）及び発光ダイオード（Ｌｉｇｈｔ  Ｅｍｉｔｔｉｎｇ  Ｄｉｏｄｅ、ＬＥＤ）等が代表的である。近年は、消費電力が低く、環境に配慮したＬＥＤが広く利用されている。
【０００４】
バックライトアセンブリは光源が配置される位置によって直下型（ｄｉｒｅｃｔ  ｔｙｐｅ）とエッジ型（ｅｄｇｅ  ｔｙｐｅ）とに分けられる。直下型バックライトアセンブリは液晶表示パネルの下部に複数の光源を配置して液晶表示パネルに全面的に直接光を照射する方式である。一方、エッジ型バックライトアセンブリは光源が導光板の側面に配置されて導光板を通じて液晶表示パネルに光が照射される方式である。
【０００５】
エッジ型バックライトアセンブリの場合、光源から発生した熱によって、光源の側面に配置された導光板が変形されるのを防止するために導光板を光源から一定の距離離隔されるように配置させる。光源と導光板との下側面は反射板によって遮蔽され、導光板の上側面はモールドフレームによって遮蔽される。しかし、光源の上側面とモールドフレームとの間にはギャップ（ｇａｐ）が発生してギャップの間で光が漏れて光損失が発生する。
【先行技術文献】
【特許文献】
【０００６】
【特許文献１】韓国登録特許第０９６２１２２号公報
【特許文献２】韓国公開特許第２００７−００５５７５０号公報
【特許文献３】韓国公開特許第２００４−００３８９１０号公報
【特許文献４】韓国公開特許第２００４−００５４７２２号公報
【発明の概要】
【発明が解決しようとする課題】
【０００７】
本発明は上記課題に鑑みてなされたものであり、光漏れを防止して入光効率を向上させるバックライトアセンブリを提供することを目的とする。
【０００８】
本発明の他の目的はバックライトアセンブリを含む表示装置を提供することにある。
【０００９】
本発明の他の目的は表示装置の組立方法を提供することにある。
【課題を解決するための手段】
【００１０】
本発明の一実施形態に係るバックライトアセンブリは、収納容器、第１光源モジュール及び第１光源カバーを含む。前記収納容器は底部及び前記底部と接続された第１側壁及び第２側壁を含む。前記第１光源モジュールは前記底部によって支持され、前記第１側壁と隣接する。前記第１光源カバーは前記第１側壁の外側面と接触し、第一端部が前記第１光源モジュールをカバーするように前記第１側壁を覆ってもよい。
【００１１】
前記第１光源カバーは側壁カバー部と、下端部及び光源カバー部を含む。前記側壁カバー部は前記第１側壁の外側面と接触する。前記下端部は前記側壁カバー部の一側部から湾曲され、前記底部と部分的に接触する。前記光源カバー部は前記側壁カバー部の前記一側の反対側から前記下端部の湾曲方向と同一な方向に湾曲されて前記下端部と対向し、前記第１光源モジュール上に配置されてもよい。
【００１２】
前記第１光源モジュールと対向する入射面及び前記入射面に入射された光を出射する出射面を含む導光板をさらに含む。このとき、前記光源カバー部は前記側壁カバー部の前記反対側から前記導光板に向かって延長して前記第１光源モジュール及び前記出射面の一部をカバーしてもよい。
【００１３】
前記第１光源モジュールと所定間隔離隔され、前記第２側壁と隣接して配置された第２光源モジュールをさらに含む。このとき、前記第１光源モジュールは、前記第１側壁に沿って、一列に配列された複数の第１光源、前記第１光源が実装される第１駆動基板、前記第１駆動基板の第一端部に形成され、前記第１光源を駆動する駆動電圧を伝送する第１接続配線と接続された第１コネクタを含む。前記第２光源モジュールは、前記第１光源の配列方向に沿って一列に配列された複数の第２光源、前記第２光源が実装される第２駆動基板、前記第２駆動基板の第一端部に形成され、前記第２光源を駆動する駆動電圧を伝送する第２接続配線と接続された第２コネクタを含んでもよい。
【００１４】
前記第１光源モジュール及び第２光源モジュールと前記収納容器との間に配置された放熱板をさらに含む。このとき、前記第１光源モジュール及び第２光源モジュールは前記放熱板の長辺と平行に配置され、前記第１光源モジュールの第１コネクタは前記放熱板の第一端部と対応する位置に形成され、前記第２光源モジュールの第２コネクタは前記第１コネクタが配置された前記放熱板の第一端部と反対側の第二端部と対応する位置に形成されてもよい。
【００１５】
第２光源モジュール及び第２光源カバーをさらに含む。前記第２光源モジュールは前記収納容器の前記第１側壁の反対方向に配置された第２側壁と隣接する。前記第２光源カバーは前記第２側壁の外側面と接触して第一端部が前記第２光源モジュールをカバーするように前記第２側壁を覆ってもよい。
【００１６】
本発明の他の一実施形態に係る表示装置は、映像を表示する表示パネルと、第１光源モジュール、収納容器及び第１光源カバーを含むバックライトアセンブリを含む。前記収納容器は底部及び前記底部と接続された第１側壁及び第２側壁を含む。前記第１光源モジュールは前記底部によって支持され、前記第１側壁と隣接する。前記第１光源カバーは前記第１側壁の外側面と接触して第一端部が前記第１光源モジュールをカバーするように前記第１側壁を覆ってもよい。
【００１７】
前記表示装置はトップシャーシをさらに含む。前記トップシャーシは前記表示パネルの端部を固定するパネル支持部及び前記パネル支持部から延長したシャーシ側壁を含む。このとき、前記シャーシ側壁のうち前記第１側壁と対応するシャーシ側壁の内側面は前記第１光源カバーの外側面と接触してもよい。
【００１８】
本発明の他の一実施形態に係る表示装置の組立方法は、底部及び前記底部と接続された側壁とを含む収納容器の内部空間に前記側壁と対向するように光源モジュールを配置させる。光源カバーが前記側壁の外側面と接触し、前記光源モジュール及び前記底部の一部をカバーするように前記収納容器に前記光源カバーを結合した後、前記光源カバーが結合した前記収納容器上に表示パネルを配置させることによって表示装置を組立ててもよい。
【００１９】
前記光源カバーは側壁カバー部、前記側壁カバー部の第一端部から湾曲された光源カバー部及び前記側壁カバー部の第二端部から湾曲された下端部を含む。このとき、前記側壁カバー部を前記収納容器の側壁と平行に前記側壁に向かって一方向に移動させた後、前記側壁カバー部は前記側壁を接触させ、前記光源カバー部は前記光源モジュールをカバーして、前記下端部は前記底部と接触するように前記光源カバーの内部空間に前記光源モジュールが収納された前記収納容器の一部を配置させることによって前記収納容器と前記光源カバーとを結合させてもよい。
【００２０】
前記表示パネル上でパネル支持部及びシャーシ側壁を含むトップシャーシを前記一方向と垂直した方向に移動させる。これによって、前記パネル支持部が前記表示パネルの端部と接触して、前記シャーシ側壁のうち前記光源モジュールと対向する前記収納容器の側壁と対応するシャーシ側壁の内側面が前記光源カバーと接触するように前記トップシャーシを前記収納容器と結合させてもよい。
【発明の効果】
【００２１】
本発明によれば、光源カバーが光源モジュールはもちろん光源モジュールと隣接した導光板の一部をカバーすることによって、光源モジュール及び導光板の間で光漏れが発生することを防止して入光効率を向上させるバックライトアセンブリ、それを含む表示装置及びこの組立方法を提供することができる。
【図面の簡単な説明】
【００２２】
【図１】本発明の一実施形態に係る表示装置を示す分解斜視図である。
【図２】図１のI‐I’ラインに沿って切断した断面図である。
【図３】図２の光源モジュール及び放熱板を示す背面図である。
【図４】図３に示した放熱板を示す背面斜視図である。
【図５】図２に示した表示装置の組立方法を示す断面図である。
【図６】図２に示した表示装置の組立方法を示す断面図である。
【図７】図２に示した表示装置の組立方法を示す断面図である。
【図８】図２に示した表示装置の組立方法を示す断面図である。
【図９】本発明の他の実施形態に係る表示装置を示す分解斜視図である。
【図１０】図９のII‐II’ラインに沿って切断した断面図である。
【図１１】図９の第１接続配線及び第２接続配線を示す背面斜視図である。
【図１２】図１０の収納容器を示す平面図である。
【発明を実施するための形態】
【００２３】
以下、図面を参照して本発明の表示装置の望ましい実施形態らをより詳細に説明する
。
【００２４】
図１は本発明の一実施形態に係る表示装置を示す分解斜視図である。図２は図１のI‐I’ラインに沿って切断した断面図である。
【００２５】
図１及び図２を参照すると、本実施形態に係る表示装置はトップシャーシ１１０、表示パネル１２０、パネル駆動部１３０、モールドフレーム１５０及びバックライトアセンブリＢＬＵを含む。
【００２６】
トップシャーシ１１０は表示パネル１２０の上部に配置されて外部の衝撃から表示パネル１２０を保護する。トップシャーシ１１０は表示パネル１２０の端部を支持するパネル支持部１１２とパネル支持部１１２とのエッジから延長した複数のシャーシ側壁１１４を含む。トップシャーシ１１０の上面には表示パネル１２０の表示領域を外部に露出させるウィンドウが形成される。
【００２７】
表示パネル１２０は第１基板１２２、第１基板１２２と対向する第２基板１２４、第１基板１２２及び第２基板１２４の間に配置された液晶層（図示せず）を含む。表示パネル１２０は例えば長辺及び短辺を有する長方形状であってもよい。本実施形態においては、表示パネル１２０が長方形状である例について説明したが、当業者なら表示パネル１２０は多様な形状で実現できることが理解されるであろう。
【００２８】
パネル駆動部１３０は表示パネル１２０を駆動する。パネル駆動部１３０は例えばチップフィルムパッケージ１３２、ゲート駆動部（図示せず）及びチップフィルムパッケージ１３２と電気的に接続されたソース印刷回路基板（ＰＣＢ）１３４を含む。チップフィルムパッケージ１３２は第１基板１２２上に形成されたデータラインにデータ信号を供給する。ゲート駆動部は第１基板１２２に形成されたゲートラインにゲート信号を供給する。ゲート駆動部は例えばチップフィルムパッケージ形態で第１基板１２２上に実装されてもよく、集積回路形態で第１基板１２２上に直接形成されてもよい。
【００２９】
モールドフレーム１５０はフレーム形状で表示パネル１２０の端部を支持する支持面が形成される。モールドフレーム１５０は表示パネル１２０を固定する。
【００３０】
バックライトアセンブリＢＬＵは表示パネル１２０の下部に配置されて表示パネル１２０に光を照射する。
【００３１】
バックライトアセンブリＢＬＵは例えば光学シート２００、導光板（ＬＧＰ）３００、光源ユニット４０１、放熱板５０１、反射板６００、収納容器７００及び光源カバー８０１を含む。
【００３２】
光学シート２００は導光板３００の上部に配置されて導光板３００から入射される光の効率を増加させる。光学シート２００は例えば拡散シート、プリズムシート及び集光シートを含む。
【００３３】
導光板３００は光源ユニット４０１から出射される光を表示パネル１２０側にガイドする。導光板３００は表示パネル１２０の長辺に対応する第１側面３１０、第１側面３１０と対向する第２側面３２０、表示パネル１２０の短辺に対応する第３側面３３０、及び第３側面３３０と向かい合う第４側面３４０を含む。導光板３００は厚さが実質的に均一なフラット（ｆｌａｔ）タイプに形成されてもよい。しかし、これに限定されず多様な形状で形成される。
【００３４】
光源ユニット４０１は例えば導光板３００の第１側面３１０に配置されてもよい。これとは異なり、光源ユニット４０１は例えば導光板３００の第２側面３２０に配置される。光源ユニット４０１は第１光源モジュール４１０ａ及び第２光源モジュール４２０ａを含む。第１光源モジュール４１０ａ及び第２光源モジュール４２０ａは導光板３００の中心部から表示パネル１２０の長辺と平行に第１方向Ｄ１に沿って所定の間隔離隔されて配置されてもよい。第１光源モジュール４１０ａは光を発生する複数の第１光源４１２及び第１光源４１２が実装される第１駆動基板４１４を含む。第２光源モジュール４２０ａは複数の第２光源４２２及び第２光源４２２が実装される第２駆動基板４２４を含む。第１光源４１２及び第２光源４２２は例えば発光ダイオードであってもよい。光源ユニット４０１に関しては後述する。
【００３５】
放熱板５０１は光源ユニット４０１と収納容器７００との間に配置されて光源ユニット４０１と収納容器７００の接触面積とを増加させる。例えば、放熱板５０１は光源ユニット４０１と隣接した導光板３００の一部領域とオーバーラップして形成されてもよい。これとは異なり、例えば、放熱板５０１は導光板３００全体領域とオーバーラップして形成されてもよい。放熱板５０１の上面には光源ユニット４０１が結合される。放熱板５０１の底面は収納容器７００の底部７１０と結合される。放熱板５０１は光源ユニット４０１から伝達される熱を収納容器７００に伝達させる。放熱板５０１は熱伝導性が優れた金属材料で形成してもよい。例えば、放熱板５０１はアルミニウム（Ａｌ）で形成されてもよい。放熱板５０１は光源ユニット４０１及び収納容器７００と例えばスクリュー結合されてもよい。これとは異なり、例えば放熱板５０１は接着剤（図示せず）を通じて収納容器７００と結合してもよい。
【００３６】
反射板６００は導光板３００と放熱板５０１との間に配置されて、導光板３００から漏れた光を反射する。反射板６００は放熱板５０１と一部接触するように配置してもよい。
【００３７】
収納容器７００は底部７１０と底部７１０のエッジから延長して収納空間７００を形成する複数の側壁７２０で構成される。収納容器７００は光学シート２００、導光板３００、光源ユニット４０１、放熱板５０１及び反射板６００を収納する。収納容器７００は金属材料で形成してもよい。
【００３８】
光源カバー８０１は収納容器７００の側壁７２０のうち光源ユニット４０１と隣接した側壁７２０と第１光源４１２、第２光源４２２及び導光板３００の出射面３５０一部を覆うように形成される。例えば、光源カバー８０１は開口部８０６（図８参照）を有するＵ字形状で形成され、光源ユニット４０１と隣接した側壁７２０、第１光源４１２、第２光源４２２及び導光板３００の出射面３５０の一部が開口部に挿入されてもよい。例えば、光源カバー８０１は収納容器７００の底部７１０と接触する下端部８００ａ、下端部８００ａから延長して収納容器７００の側壁７２０の外側面と接触する側壁カバー部８００ｂ及び側壁カバー部８００ｂから導光板３００方向に延長して第１光源４１２、第２光源４２２及び導光板３００の一部と接触する光源カバー部８００ｃとを含む。光源カバー部８００ｃは導光板３００の入光部と近い出射面３５０の一部とを覆う。光源カバー部８００ｃの内部面は導光板３００の入光部と近い出射面３５０と接触する。光源カバー８０１はステンレススチールのＳＵＳ、またはブラス（Ｂｒａｓｓ）で形成される。光源カバー８０１は第１光源４１２及び第２光源４２２から出射された光を導光板３００の入光部側に反射させる。
【００３９】
導光板３００及び反射板６００は第１光源４１２及び第２光源４２２から所定の間隔Ｇ離隔されて配置される。例えば、間隔Ｇは約０．５ｍｍであってもよい。
【００４０】
駆動回路基板９００は第１光源４１２及び第２光源４２２を駆動するための駆動電圧を生成する駆動回路（図示せず）を含む。駆動回路基板９００は第１接続配線４１８及び第２接続配線４２８を通じて第１光源モジュール４１０及び第２光源モジュール４２０と接続される。駆動回路基板９００は収納容器７００の背面に配置されてもよい。
【００４１】
図３は図２の光源モジュール及び放熱板を示す斜視図である。図４は図３の放熱板を示す背面斜視図である。
【００４２】
図３及び図４を参照すると、光源ユニット４０１は例えば第１光源モジュール４１０ａ及び第２光源モジュール４２０ａを含む。第１光源モジュール４１０ａ及び第２光源モジュール４２０ａは放熱板５０１の上部に結合する。第１光源モジュール４１０ａ及び第２光源モジュール４２０ａは放熱板５０１の長辺と平行に所定の間隔離隔されて形成される。第１光源モジュール４１０ａは例えば複数の第１光源４１２、第１駆動基板４１４及び第１コネクタ４１６を含む。第１光源４１２は第１駆動基板４１４の長辺と平行に所定の間隔離隔されて形成される。第１駆動基板４１４上には第１光源４１２に駆動電圧を供給するための配線パターン（図示せず）が形成される。第１コネクタ４１６は駆動電圧を伝送する第１接続配線４１８と電気的に接続される。
【００４３】
第２光源モジュール４２０ａは例えば複数の第２光源４２２、第２駆動基板４２４及び第２コネクタ４２６を含む。第２光源４２２は第２駆動基板４２４の長辺と平行に所定の間隔離隔されて形成される。第２駆動基板４２４上には第２光源４２２に駆動電圧を供給するための配線パターン（図示せず）が形成される。第２コネクタ４２６は第２接続配線４２８と電気的に接続される。第１駆動基板４１４及び第２駆動基板４２４は印刷回路基板（Ｐｒｉｎｔｅｄ  Ｃｉｒｃｕｉｔ  Ｂｏａｒｄ、ＰＣＢ）または、メタルコア印刷回路基板（Ｍｅｔａｌ  Ｃｏｒｅ  Ｐｒｉｎｔｅｄ  Ｃｉｒｃｕｉｔ  Ｂｏａｒｄ、ＭＣＰＣＢ）であってもよい。第１接続配線４１８及び第２接続配線４２８はフレキシブルフラットケーブル（Ｆｌｅｘｉｂｌｅ  Ｆｌａｔ  Ｃａｂｌｅ、ＦＦＣ）であってもよい。
【００４４】
放熱板５０１は第１光源モジュール４１０及び第２光源モジュール４２０が結合する領域と隣接した第１側面５１０、第１側面５１０と対向する第２側面５２０、第１側面５１０と垂直に配置した第３側面５３０及び第３側面５３０と対向する第４側面５４０を含む。第１コネクタ４１６は放熱板５０１の第１側面５１０の一端部と対応する位置に形成され、第２コネクタ４２６は第１側面５１０の一端部と反対する他端部と対応する位置に形成される。第１接続配線４１８及び第２接続配線４２８はバンディングによって放熱板５０１の背面に湾曲されて放熱板５０１と収納容器７００の底部７１０との間に内装される。
【００４５】
図４に示したように、放熱板５０１の背面に湾曲された第１接続配線４１８は第３側面５３０と隣接した領域に沿って第１方向Ｄ１に延長し、第３側面５３０の終端付近で第２側面５２０方向に湾曲した後、第１方向Ｄ１と垂直に第２方向Ｄ２に長く延長する。第１接続配線４１８は第２側面５２０の中心部付近で第２方向Ｄ２と垂直に第１方向Ｄ１でもう一度湾曲した後第１方向Ｄ１に延長する。このように延長した第１接続配線４１８は収納容器７００の底部７１０に形成された開口ホール（図示せず）を通じて収納容器７００の背面に引出される。
【００４６】
一方、放熱板５０１の背面に湾曲された第２接続配線４２８は第４側面５４０と隣接した領域に沿って第１方向Ｄ１に延長し、第４側面５４０の終端付近に第２側面５２０方向に湾曲した後、第２側面５２０に沿って長く延長する。第２接続配線４２８は第２側面５２０の中心部付近から第１方向Ｄ１に湾曲した後、第１方向Ｄ１に沿って延長する。このように延長した第２接続配線４２８は収納容器７００の底部７１０に形成された開口ホール（図示せず）を通じて収納容器７００の背面に引出される。
【００４７】
図５〜図８は図２に示された表示装置の組立方法を示す断面図である。
【００４８】
図２及び図５を参照すると、放熱板５０１上に第１光源モジュール４１０ａを固定させる。放熱板５０１と第１光源モジュール４１０ａは例えばスクリュー結合してもよい。放熱板５０１と第２光源モジュール（図示せず）との結合方法も第１光源モジュール４１０ａの結合方法と実質的に同一なので、第２光源モジュールの結合方法は省略する。
【００４９】
図２及び図６を参照すると、第１光源モジュール４１０ａが結合された放熱板５０１を収納容器７００に収納する。放熱板５０１は収納容器７００の底部７１０にスクリュー結合されてもよい。
【００５０】
図２及び図７を参照すると、放熱板５０１が収納された収納容器７００に反射板６００及び導光板３００を収納する。反射板６００及び導光板３００は第１光源モジュール４１０ａの第１光源４１２と所定の間隔離隔されて配置される。
【００５１】
図２及び図８を参照すると、反射板６００及び導光板３００が収納された収納容器７００に光源カバー８０１を結合する。光源カバー８０１は第１光源モジュール４１０ａが収納された領域に対応する収納容器７００の側壁７２０と共に第１光源４１２及び導光板３００の入光部と近い出射面３５０の一部をカバーするように結合される。
【００５２】
続いて、図２に示した通り、光源カバー８０１が結合された収納容器７００にモールドフレーム１５０、光学シート２００、表示パネル１２０及びトップシャーシ１１０を順次結合する。トップシャーシ１１０の側壁１１４のうち第１光源モジュール４１０ａと隣接した収納容器７００の側壁７２０と対応するシャーシ側壁１１４は光源カバー８０１と接触することになる。
【００５３】
本実施形態によると、光源カバー８０１によって第１光源４１２及び第２光源４２２と隣接した導光板３００の出射面３５０の一部がカバーされることによって、第１光源４１２及び第２光源４２２と導光板３００の入光部との間で光漏れが発生する現象を防止できる。光源カバー８０１を反射率が良い材料で形成して第１光源４１２及び第２光源４２２から発生する光を導光板３００に反射させることによって、入光効率を向上させることができる。
【００５４】
図９は本発明の他の実施形態に係る表示装置の分解斜視図である。図１０は図９のＩＩ‐ＩＩ’ラインに沿って切断した断面図である。
【００５５】
本実施形態に係る表示装置は光源ユニット４０２、放熱ユニット５０２及び光源カバーユニット８０２を除いては図１に示した一実施形態に係る表示装置と実質的に同一なので、重複する説明は省略する。
【００５６】
図９及び図１０を参照すると、本実施形態に係る表示装置はバックライトアセンブリＢＬＵを含む。バックライトアセンブリＢＬＵは例えば導光板３００、第１光源モジュール４１０ｂ及び第２光源モジュール４２０ｂを含む光源ユニット４０２、第１放熱板５１２及び第２放熱板５２２を含む放熱ユニット５０２及び光源カバーユニット８０２及び収納容器７００を含む。
【００５７】
第１光源モジュール４１０ｂは表示パネル１２０の短辺と平行した方向に対応する導光板３００の一側面に配置される。例えば、第１光源モジュール４１０ｂは導光板３００の第４側面３４０に配置されてもよい。第１光源モジュール４１０ｂは光を発生する複数の第１光源４１２、第１光源４１２が実装される第１駆動基板４１４及び第１接続配線４１８と接続されて第１光源４１２を駆動するための駆動電圧を印加される第１コネクタ４１６を含む。第１接続配線４１８は収納容器７００の背面に固定して駆動回路基板９００と電気的に接続されて駆動回路基板９００から駆動電圧が印加される。
【００５８】
第２光源モジュール４２０ｂは導光板３００の第３側面３３０に配置される。第２光源モジュール４２０ｂは光を発生する複数の第２光源４２２、第２光源４２２が実装される第２駆動基板４２４及び第２接続配線４２８と接続されて第２光源４２２を駆動する駆動電圧が印加される第２コネクタ４２６を含む。第２接続配線４２８は収納容器７００の背面に固定する駆動回路基板９００と電気的に接続されて駆動回路基板９００から駆動電圧を印加される。
【００５９】
第１コネクタ４１６は第１駆動基板４１４の一端部に形成され、第２コネクタ４２６は第１駆動基板４１４の一端部と対向する第２駆動基板４２４の一端部に形成される。第１接続配線４１８及び第２接続配線４２８は例えばフレキシブルフラットケーブル（ｆｌｅｘｉｂｌｅ  Ｆｌａｔ  Ｃａｂｌｅ、ＦＦＣ）であってもよい。
【００６０】
第１放熱板５１２は第１光源モジュール４１０ｂと収納容器７００との間に配置され、第２放熱板５２２は第２光源モジュール４２０ｂと収納容器７００との間に配置される。第１放熱板５１２は収納容器７００の第１側壁７２２と隣接した底部７１０に収納され、第２放熱板５２２は収納容器７００の第１側壁７２２と対向する第２側壁７２４と隣接した底部７１０に収納される。第１光源モジュール４１０ａ及び第２光源モジュール４２０ａから伝達された熱を第１放熱板５１２及び第２放熱板５２２を通じて収納容器７００に伝達される。第１放熱板５１２及び第２放熱板５２２は熱伝導性が優れた金属材料で形成されてもよい。例えば、第１放熱板５１２及び第２放熱板５２２はアルミニウム（Ａｌ）で形成されてもよい。第１光源モジュール４１０ａ及び第２光源モジュール４２０ａと第１放熱板５１２及び第２放熱板５２２は例えばスクリュー結合されてもよい。第１放熱板５１２及び第２放熱板５２２は収納容器７００とスクリュー結合されてもよい。これとは異なり、第１放熱板５１２及び第２放熱板５２２は接着剤（図示せず）を通じて収納容器７００と結合されてもよい。
【００６１】
本実施形態において、放熱ユニット５０２が互いに分離した第１放熱板５１２及び第２放熱板５２２を含むことを例として説明したが、これに限定されるものではない。すなわち、放熱ユニット５０２は導光板３００の全領域とオーバーラップされるようにプレート構造に形成されてもよい。
【００６２】
第１接続配線４１８及び第２接続配線４２８は第１光源モジュール４１０ａ及び第２光源モジュール４２０ａの下部に配置された第１放熱板５１２及び第２放熱板５２２の背面に湾曲されて第１放熱板５１２及び第２放熱板５２２と収納容器７００の底部７１０との間に内装される。
【００６３】
図１１は図９の第１接続配線及び第２接続配線を示す背面斜視図である。
【００６４】
図９及び図１１を参照すると、第１放熱板５１２の背面に湾曲された第１接続配線４１８は第１放熱板５１２の短辺と平行に第１方向Ｄ１に湾曲した後、第１放熱板５１２の端部に沿って第１方向Ｄ１に延長する。第１方向Ｄ１に延長した第１接続配線４１８は第１放熱板５１２及び第２放熱板５２２の間の中心部付近で第１方向Ｄ１と垂直の第２方向Ｄ２にもう一度湾曲した後、第２方向Ｄ２に沿って長く延長する。
【００６５】
一方、第２放熱板５２２の背面に湾曲された第２接続配線４２８は第１方向Ｄ１と反対方向に湾曲した後、第２放熱板５２２の端部に沿って、第１放熱板５１２及び第２放熱板５２２の間の中心部付近まで長く延長する。中心部付近まで延長した第２接続配線４２８は第２方向Ｄ２にもう一度湾曲した後、第２方向Ｄ２に沿って長く延長する。図示しないが、このように延長した第１接続配線４１８及び第２接続配線４２８は収納容器の底部に形成された開口ホールを通じて収納容器７００の背面に引出される。
【００６６】
また、図９及び図１０を参照すると、光源カバーユニット８０２は第１光源カバー８１０及び第２光源カバー８２０を含む。
【００６７】
第１光源カバー８１０は第１光源モジュール４１０ｂが収納された収納容器７００の第１側壁７２２の外側面と第１光源モジュール４１０ｂと隣接した導光板３００の出射面３５０の一部を覆うように形成される。例えば、第１光源カバー８１０は開口部を有するＵ字形状で形成されてもよく、第１側壁７２２、第１光源４１２及び導光板３００の出射面３５０の一部が開口部に挿入されてもよい。第１光源カバー８１０は収納容器７００の底部７１０と接触する第１下端部８１０ａ、第１下端部８１０ａで湾曲し延長して収納容器７００の第１側壁７２２の外側面と接触する第１側壁カバー部８１０ｂ及び第１側壁カバー部８１０ｂから導光板３００方向に湾曲し延長して導光板３００の一部と接触する第１光源カバー部８１０ｃを含む。第１光源カバー部８１０ｃは第１光源モジュール４１０ｂの第１光源４１２と対向する導光板３００の入光部側の出射面３５０一部を加圧する。
【００６８】
第２光源カバー８２０は第２光源モジュール４２０ｂが収納された収納容器７００の第２側壁７２４の外側面と第２光源モジュール４２０ｂと隣接した導光板３００の一部を覆うように形成される。例えば、第２光源カバー８２０は開口を有するＵ字形状で形成されてもよく、第２側壁７２４、第２光源４２２及び導光板３００の出射面３５０の一部が開口部に挿入されてもよい。第２光源カバー８２０は収納容器７００の底部７１０と接触する第２下端部８２０ａ、第２下端部８２０ａで湾曲し延長して収納容器７００の第２側壁７２４の外側面と接触する第２側壁カバー部８２０ｂ及び第２側壁カバー部８２０ｂで導光板３００方向に湾曲し延長して第２光源４２２及び導光板３００の一部と接触する第２光源カバー部８２０ｃを含む。第２光源カバー部８２０ｃは第２光源モジュール４２０ｂの第２光源４２２と向かい合う導光板３００の入光部側の出射面３５０一部を加圧する。
【００６９】
図１２は図９の収納容器を説明するための平面図である。
【００７０】
図９及び図１２を参照すると、表示装置は補強部材５３０をさらに含む。補強部材５３０は例えば第１補強部材５３２及び第２補強部材５３４を含む。第１補強部材５３２及び第２補強部材５３４は収納容器７００の底部７１０に収納される。第１補強部材５３２は収納容器７００の第１側壁７２２及び第２側壁７２４を接続する第３側壁７２６の延長方向に沿って延長する。第２補強部材５３４は収納容器７００の第３側壁７２６と対向する第４側壁７２８の延長方向に沿って延長する。
【００７１】
第１補強部材５３２及び第２補強部材５３４は収納容器７００の底部７１０に収納される第１放熱板５１２及び第２放熱板５２２と結合する。例えば、第１補強部材５３２は第１放熱板５１２及び第２放熱板５２２の一端と結合され、第２補強部材５３４は第１放熱板５１２及び第２放熱板５２２の一端と反対となる多端と結合される。第１補強部材５３２及び第２補強部材５３４は第１放熱板５１２及び第２放熱板５２２とスクリュー結合されてもよい。このために、第１補強部材５３２及び第２補強部材５３４と第１放熱板５１２及び第２放熱板５２２は互いに対応する領域に形成された結合ホール５３５を含む。
【００７２】
本実施形態によると、収納容器７００の底部７１０で第１放熱板５１２及び第２放熱板５２２が収納されなかった領域に第１補強部材５３２及び第２補強部材５３４を配置させることによって、収納容器７００の強度を補強することができる。
【００７３】
以上説明したように、本発明の実施形態によると、光源カバーが光源モジュールと隣接した導光板の出射面の一部をカバーすることによって、光源モジュールと導光板の入光部との間から光漏れが発生することを防止できる。また、光源カバーを通じて光源モジュールから発生した光を導光板の入光部へ反射させることによって、入光効率を向上させることができる。第１補強部材及び第２補強部材を具備することによって、収納容器の強度を補強することができる。
【００７４】
以上、実施形態を参照して説明したが、当該技術分野の熟練した当業者は、下記の特許請求の範囲に記載された本発明の思想の範疇内において、本発明を多様に修正及び変更させる可能性があるものと理解され得る。
【符号の説明】
【００７５】
１１０…トップシャーシ、１２０…表示パネル、１３０…パネル駆動部、１５０…モールドフレーム、２００…光学シート、３００…導光板、４０１、４０２…光源ユニット、４１０ａ、４１０ｂ…第１光源モジュール、４２０ａ、４２０ｂ…第２光源モジュール、５０１…放熱板、５１２…第１放熱板、５２２…第２放熱板、６００…反射板、７００…収納容器、８０１…光源カバー、８１０…第１光源カバー、８２０…第２光源カバー。
【図１】
0006412175.tif 000002
【図２】
0006412175.tif 000003
【図３】
0006412175.tif 000004
【図４】
0006412175.tif 000005
【図５】
0006412175.tif 000006
【図６】
0006412175.tif 000007
【図７】
0006412175.tif 000008
【図８】
0006412175.tif 000009
【図９】
0006412175.tif 000010
【図１０】
0006412175.tif 000011
【図１１】
0006412175.tif 000012
【図１２】
0006412175.tif 000013